(57)【特許請求の範囲】
【請求項１】
液体噴出器本体１の吐出側端部２から突出させたノズル連結筒３に、中央にノズル孔４を有するキャップ状のノズル５を連結し、該ノズル５乃至ノズル連結筒３の内側に上記液体噴出器本体１の吐出流路６と連通する弁室７を形成し、該弁室７内には、そのノズル５における上記ノズル孔４の直近の背後に該ノズル孔４と連通する弁孔８及び後方に面する弁座９を設けるとともに、該弁座９に先端にて対峙させて先端開放、基端閉塞でかつ内周が弁座９よりも大きな小シリンダ10を配備させ、該小シリンダ10にスカート11を外周設したハット状の弁体12を摺動自在に嵌合させ、該弁体12乃至小シリンダ10内に該弁体12を付勢するスプリング13を内装して該弁体12を上記弁座９へと押圧着座させ、該弁体12の中央に透孔14を穿設したことを特徴とするトリガー式液体噴出器の吐出弁。
【請求項２】
上記小シリンダ10乃至弁体12内にて、その小シリンダ10の閉塞基端から先端を尖らせたスプリング支持棒15を突設し、該スプリング支持棒に上記スプリング13の基端部を嵌合支持させた請求項１記載のトリガー式液体噴出器の吐出弁。
【請求項３】
上記弁座９の周辺から短い弁体案内筒30を突設し、該弁体案内筒には、適所に液体流通可能に切欠31を形成して弁体12を出入可動に嵌挿させた請求項１又は請求項２記載のトリガー式液体噴出器の吐出弁。
【発明の詳細な説明】
【０００１】
【発明の属する技術分野】
本発明は、トリガー式液体噴出器の吐出弁に関するものである。
【０００２】
【従来の技術】
液体を収容した液体容器の口頸部に装着して使用する一般的なトリガー式液体噴出器は、液体噴出器本体にトリガーで機械的に作動させるプランジャ型ポンプを備え、トリガーを引いてプランジャを押し込みすることで、ポンプ内の液体を加圧して液体噴出器本体先端のノズルから噴出させ、かつ、トリガーを放して該トリガー及びプランジャをポンプに内蔵したスプリングにより復帰させることで、容器内の液体をポンプ内へと吸い上げるようになっている。
ところで、この種のトリガー式液体噴出器に、実開平４−１７８５５８号公報のものがある。この場合のプランジャ型ポンプは、液体噴出器本体におけるノズルに近い先端部分に吐出弁を内装しており、該吐出弁は、弁体をスプリングで弁座へと所定の弾力で押圧着座させている。つまり、この吐出弁では、プランジャの押し込みで加圧された液体の圧力がスプリングの閉弁力に勝ったときに、この加圧液体が弁体を押し開くものであり、したがって、所定圧以上でのみ液体を噴出させることができて、液垂れを少なくすることができる。
【０００３】
【発明が解決しようとする課題】
しかし、この場合にも、吐出弁を通過した加圧液体が、更にノズル内の流路を経てノズル孔から噴出するので、未だ次のような問題点が残されている。
▲１▼  トリガーの引き始めすなわちプランジャの押し込み当初において、先頭の加圧液体がそのノズル内流路を流下する間、時間的遅れ又は圧力ロスを伴い、効率が低下する。また、ノズル内流路及びノズル孔内に前回に供給された液体が残留している場合には、先頭の加圧液体がノズル孔に達するまでの間、残留液体が所定液圧以下で押し出されて良好な噴出が得られず、ノズル孔からその残留液体による液垂れを生じることがある。
▲２▼  トリガーの引き終わりすなわちプランジャの押し込み終端において、吐出弁の閉弁に伴い、閉じる弁体で未だノズル内流路及びノズル孔内にある液体が押圧されて、このノズル内流路及びノズル孔内の液体はその液圧が急速には低下せず、したがって、噴出が止む際の液切れが悪くなり、ノズル孔から液垂れを生じることがある。
本発明は、これらの問題点を解決しようとするものである。
【０００４】
【課題を解決するための手段】
かかる観点から、請求項１の発明は、液体噴出器本体１の吐出側端部２から突出させたノズル連結筒３に、中央にノズル孔４を有するキャップ状のノズル５を連結し、該ノズル５乃至ノズル連結筒３の内側に上記液体噴出器本体１の吐出流路６と連通する弁室７を形成し、該弁室７内には、そのノズル５における上記ノズル孔４の直近の背後に該ノズル孔４と連通する弁孔８及び後方に面する弁座９を設けるとともに、該弁座９に先端にて対峙させて先端開放、基端閉塞でかつ内周が弁座９よりも大きな小シリンダ10を配備させ、該小シリンダ10にスカート11を外周設したハット状の弁体12を摺動自在に嵌合させ、該弁体12乃至小シリンダ10内に該弁体12を付勢するスプリング13を内装して該弁体12を上記弁座９へと押圧着座させ、該弁体12の中央に透孔14を穿設したことを特徴とする。
【０００５】
請求項２の発明は、請求項１のトリガー式液体噴出器の吐出弁にあって、上記小シリンダ10乃至弁体12内にて、その小シリンダ10の閉塞基端から先端を尖らせたスプリング支持棒15を突設し、該スプリング支持棒に上記スプリング13の基端部を嵌合支持させて成る。
【０００６】
請求項３の発明は、請求項１又は請求項２のトリガー式液体噴出器の吐出弁にあって、上記弁座９の周辺から短い弁体案内筒30を突設し、該弁体案内筒には、適所に液体流通可能に切欠31を形成して弁体12を出入可動に嵌挿させて成る。
【０００７】
【発明の実施の形態】
その1.
図１、図２は、請求項１及び請求項２の発明に係る閉弁状態と開弁状態におけるトリガー式液体噴出器の吐出弁の実施形態を示している。
図において、１は、トリガー式液体噴出器における液体噴出器本体、２は、該液体噴出器本体の吐出側端部で、該吐出側端部は、前方へ向かう嵌合横筒から成る。
３は、上記吐出側端部２から突出させたノズル連結筒で、該ノズル連結筒は、基端に上記吐出側端部２を覆う垂直片16を有し、該垂直片から後方へ嵌着横筒17を突設して、該嵌着横筒を上記吐出側端部２たる嵌合横筒の外周に不動にかつ水密に嵌合させ、垂直片16には、ノズル連結筒３が囲成する内側の上部に透孔34を穿設して、該透孔によりノズル連結筒３内を液体噴出器本体１したがって吐出側端部２内の吐出流路６と開通させている。また、ノズル連結筒３の外周には、係合突条18を周設している。
５は、中央にノズル孔４を有するキャップ状のノズルで、嵌合周壁19を上記ノズル連結筒３の外周に嵌合させ、該嵌合周壁19の内周に係合凹溝20を周設して、該係合凹溝をそのノズル連結筒３の上記係合突条18に係合させている。また、嵌合周壁19の内側に短小の嵌合内筒21を有して、該嵌合内筒を上記ノズル連結筒３の内周に水密に嵌合させている。
そして、ノズル孔４は、ノズル５の中央部外面に環状深溝22を周設して、該環状深溝に小キャップ状のノズルピース23を嵌着し、該ノズルピースの中心に噴霧用のスピン溝付きノズル孔24を設けることで形成しており、該スピン溝付きノズル孔からノズル５内へと上記環状深溝22に沿えて液体案内溝25を開通させている。なお、図示のノズル孔４では、噴霧用のスピン溝付きノズル孔24であるが、ストレート噴射用や発泡用等のものであってもよい。
【０００８】
７は、ノズル５乃至ノズル連結筒３の内側に形成した弁室で、該弁室は、液体噴出器本体１の吐出流路６と連通させている。
該弁室７内では、そのノズル５における上記ノズル孔４の直近の背後に、該ノズル孔４したがって上記液体案内溝25と連通する弁孔８及び後方に面するテーパ状の弁座９を設けるとともに、先端開放、基端閉塞で、内周が弁座９よりも大径の小シリンダ10を上記垂直片16から前方へと突設することで、該小シリンダ10を先端にて上記弁座９に対峙させて配備させており、更に、小シリンダ10内には、スカート11を外周設したハット状の弁体12を摺動自在に嵌合させ、該弁体12乃至小シリンダ10内に該弁体12を付勢するコイルスプリング13を内装して該弁体12を上記弁座９へと押圧着座させ、該弁体12の中央に透孔14を穿設している。
15は、上記小シリンダ10乃至弁体12内にて、上記垂直片16から前方へと突設したスプリング支持棒で、該スプリング支持棒は、棒体26の周りに複数の案内片27を等間隔に付設し、棒体26乃至案内片27の先部を円錐状に尖らせている。
28は、ノズル５の前面に配してノズルの上部に開閉可能に枢着29したノズル孔用の蓋板であり、液体の噴射の際は上方へと開蓋させるものである。
【０００９】
如上の構成であるから、図１の閉弁状態において、トリガーを引き、プランジャを押し込みすることにより、液体噴出器本体１から吐出流路６を通じて加圧液体が供給されると、この加圧液体は、垂直片16の透孔34を通ってノズル連結筒３内にそして弁室７に流入し、小シリンダ10の外側を経て、弁体12の周りに入り込む。弁体12の周りに入り込んだ加圧液体は、弁体外周のスカート11に液圧を及ぼし、その液圧が弁体12を押圧しているコイルスプリング13の弾力に勝ると、該コイルスプリングに抗して弁体12を後退させ、図２に示すように、弁体12が弁座９から離間して開弁状態となる。この開弁に伴い、所定値以上の液圧の加圧液体のみがノズル孔４から噴出する。つまり、図示の場合、その加圧液体は、液体案内溝25を経てスピン溝付きノズル孔24から噴出して、液垂れのない良好な噴霧を生じさせる。
そして、吐出弁がノズル孔４の直近の背後に配されることとなり、この吐出弁からノズル孔４に至るノズル内流路は極短小でかつ細いものとなるから、トリガーの引き始めすなわちプランジャの押し込み当初において、最初の加圧液体がそのノズル内流路を流下する間の時間的遅れや圧力ロスはほとんどないに等しく、効率が悪化することはない。
【００１０】
また、弁体12では、透孔14が次のように作用する。
▲１▼  仮に、透孔14がない場合を考えると、小シリンダ10乃至弁体12内に弁室７内の液体が侵入すれば弁体12は動作しなくなり、トリガーを引いて加圧液体を供給しても液体の噴出が得られないこととなるが、弁体12の中央に透孔14があることによって、小シリンダ10乃至弁体12内に弁室７内の液体が侵入しても、透孔14がその侵入液体を弁体12の開弁に伴い弁室７内の液圧と同圧でノズル孔４へ向けて流出させるので、弁体12の開弁動作に支障を生じさせない。
▲２▼  トリガーの引き終わりすなわちプランジャの押し込み終端において、供給される加圧液体の液圧が所定値以下になると、弁体12がコイルスプリング13の弾力で閉弁し（なお、弁体12の進出の初期には、該弁体12による押圧でノズル孔４側の液体の一部は未だ高い液圧でノズル孔４から押し出される。）、その弁体12の進出で小シリンダ10乃至弁体12内が負圧化傾向となるが、これに伴い、透孔14は、小シリンダ10乃至弁体12内にノズル孔４側の弁室７内の液体を引き込ませて、ノズル孔４内の液体を瞬時にして降圧させる。したがって、噴出が止む際の液切れをよくし、ノズル孔からの液垂れを生じさせない。また、小シリンダ10乃至弁体12内への液体の引き込みにより、弁体12の閉弁動作に支障を生じさせない。
▲３▼  弁室７にエアを供給して行う弁座９と弁体12との間の漏れ試験において、透孔14は、小シリンダ10とスカート11との間の漏れ試験をも同時に行うことを可能にする。
【００１１】
その2.
図３は、請求項３の発明に係る閉弁状態におけるトリガー式液体噴出器の吐出弁の実施形態を示している。
図１及び図２のトリガー式液体噴出器の吐出弁にあって、上記弁座９の周辺から短い弁体案内筒30を突設し、該弁体案内筒には、適所に液体流通可能に切欠31を形成して弁体12を出入可動に嵌挿させ、また、弁体案内筒30の内縁と弁体12の前端部外周とに相互に衝合する抜け止め用のストッパー32，33を設けている。
この場合、弁体案内筒30とストッパー32，33は、弁体12を的確に開閉動作させるとともに、組み立ての際に予め嵌挿させた弁体12を保持して組み立てを容易にする。
その他の構成及び動作は、図１及び図２の場合と同じにつき、図１及び図２の説明をもって説明を省略する。
【００１２】
【発明の効果】
請求項１、請求項２、請求項３の発明によれば、既述構成により次の効果を奏する。
(1) ノズル５内に蓄圧タイプの吐出弁を内装させることができて、所定値以上の液圧の加圧液体のみをノズル孔４から噴出させることができ、液垂れのない良好な噴出を得ることができるばかりでなく、吐出弁をノズル孔４の直近の背後に配することができ、この吐出弁からノズル孔４に至るノズル内流路を極短小でかつ細いものとすることができ、トリガーの引き始めすなわちプランジャの押し込み当初において、最初の加圧液体がそのノズル内流路を流下する間の時間的遅れや圧力ロスをほとんどなくすることができ、効率を改善できる。
(2) 弁体12の中央に穿設した透孔14により、
ａ．小シリンダ10乃至弁体12内に弁室７内からの液体が侵入しても、その侵入液体を弁体12の開弁に伴い弁室７内の液圧と同圧でノズル孔４へ向けて流出させることができ、弁体12を支障なく開弁動作させることができる。
ｂ．トリガーの引き終わりすなわちプランジャの押し込み終端において、弁体12の閉弁に伴い、小シリンダ10乃至弁体12内の負圧化傾向で該小シリンダ10乃至弁体12内にノズル孔４側の弁室７内の液体を引き込ませることができ、ノズル孔４内の液体を瞬時にして降圧させることができて、噴出が止む際の液切れを良好にでき、ノズル孔４からの液垂れをなくすことができる。勿論、弁体12に動作不良を生じさせることはなく、弁体12を支障なく閉弁動作させることができる。
ｃ．弁室７にエアを供給して行う弁座９と弁体12との間の漏れ試験において、小シリンダ10とスカート11との間の漏れ試験をも同時に行うことができる。
【００１３】
加えて、請求項２の発明によれば、上記小シリンダ10乃至弁体12内に突設した先端が尖ったスプリング支持棒15により、スプリング13の組み立てを容易にすることができる。
【００１４】
また、請求項３の発明によれば、適所に液体流通可能に切欠31を形成した短い弁体案内筒30を弁座９の周辺から突設して、弁体12を出入可動に嵌挿させているので、弁体12を的確に開閉動作させることができ、また、組み立ての際には、予め弁体案内筒30に弁体12を嵌挿保持させることで組み立てを容易にすることができる。
【図面の簡単な説明】
【図１】  請求項１及び請求項２のトリガー式液体噴出器の吐出弁に係る発明の実施形態を示す閉弁状態における截断側面図である。
【図２】  同実施形態の開弁状態における截断側面図である。
【図３】  請求項３のトリガー式液体噴出器の吐出弁に係る発明の実施形態を示す閉弁状態における截断側面図である。
【符号の説明】
１…液体噴出器本体              ２…吐出側端部
３…ノズル連結筒                ４…ノズル孔
５…ノズル                      ６…吐出流路
７…弁室                        ８…弁孔
９…弁座                        10…小シリンダ
11…スカート                    12…弁体
13…スプリング                  14…透孔
15…スプリング支持棒            16…垂直片
17…嵌着横筒                    18…係合突条
19…嵌合周壁                    20…係合凹溝
21…嵌合内筒                    22…環状深溝
23…ノズルピース                24…スピン溝付きノズル孔
25…液体案内溝                  26…棒体
27…案内片                      28…蓋板
29…枢着                        30…弁体案内筒
31…切欠                        32，33…ストッパー
34…透孔
【図１】
0003642887.tif 000002
【図２】
0003642887.tif 000003
【図３】
0003642887.tif 000004